(57)【要約】上方に配置された温風発生源から温風を下方に向かって導き、途中に複数の温風供給口を備えた第１のダクトと、下方に配置された冷風発生源から冷風を上方に向って導き、途中に複数の冷風供給口を備えた第２のダクトと、温風発生源と冷風発生源とを結び、途中に複数の回収口を備えた第３のダクトとを有するダクトシステムを提供する。このダクトシステムにより、冷風および温風を独立して供給し、共通のダクトにより回収できる簡易なダクトシステムを提供できる。したがって、コンパクトで、熱交換効率の高いショーケースなどの収納装置を提供できる。
2005001349.tif 000002
【特許請求の範囲】
【請求項１】
上方に配置された温風発生源から温風を下方に向かって導き、途中に複数の温風供給口を備えた第１のダクトと、
下方に配置された冷風発生源から冷風を上方に向って導き、途中に複数の冷風供給口を備えた第２のダクトと、
前記温風発生源と前記冷風発生源とを結び、途中に複数の回収口を備えた第３のダクトとを有するダクトシステム。
【請求項２】
前記温風発生源の供給側と前記冷風発生源の供給側とを繋ぐ共通供給ダクトを有し、前記第１および第２のダクトは、前記共通供給ダクトを仕切り手段により分割したものである、請求項１のダクトシステム。
【請求項３】
前記仕切り手段は、ダンパまたは仕切り板である、請求項２のダクトシステム。
【請求項４】
前記温風発生源および前記冷風発生源は、逆方向の空気の流れを阻害する逆流防止機構を備えている、請求項２のダクトシステム。
【請求項５】
上方に配置された温風発生源と、
下方に配置された冷風発生源と、
前記温風発生源から温風を下方に向かって導き、途中に複数の温風供給口を備えた第１のダクトと、
前記冷風発生源から冷風を上方に向って導き、途中に複数の冷風供給口を備えた第２のダクトと、
前記温風発生源と前記冷風発生源とを結び、途中に複数の回収口を備えた第３のダクトと、
前記第１のダクトおよび前記第２のダクトの少なくともいずれかにより、温風および冷風の少なくともいずれかが供給され、内部の空気が前記第３のダクトにより回収される収納空間を構成するためのハウジングとを有する収納装置。
【請求項６】
前記温風発生源の供給側と前記冷風発生源の供給側とを繋ぐ共通供給ダクトを有し、前記第１および第２のダクトは、前記共通供給ダクトを仕切り手段により分割したものである、請求項５の収納装置。
【請求項７】
上方に配置された温風発生源と、
下方に配置された冷風発生源と、
前記温風発生源から温風を下方に向かって導き、途中に複数の温風供給口を備えた第１のダクトと、
前記冷風発生源から冷風を上方に向って導き、途中に複数の冷風供給口を備えた第２のダクトと、
前記温風発生源と前記冷風発生源とを結び、途中に複数の回収口を備えた第３のダクトと、
商品を陳列するための陳列棚であって、前記温風供給口および前記冷風供給口の少なくともいずれかに接続され、当該陳列棚を介して温風および冷風の少なくともいずれかを吹出す吹出口を備えた陳列棚とを有する収納装置。
【請求項８】
前記陳列棚は、前記温風供給口および前記冷風供給口に接続され、前記吹出口から温風および冷風を混合した空気を吹出す、請求項７の収納装置。
【請求項９】
前記陳列棚は、さらに、吸気口を備えており、前記回収口にも接続され、当該陳列棚を介して空気を排気する、請求項７の収納装置。
【請求項１０】
前記陳列棚を介して、温風および冷風の少なくともいずれかが供給され、内部の空気が前記第３のダクトにより回収される収納空間を構成するためのハウジングをさらに有する、請求項７の収納装置。
【発明の詳細な説明】
【技術分野】
【０００１】  本発明は、スーパーマーケットあるいはコンビニエンスストアなどにおいて、商品を異なる温度条件で冷蔵あるいは温蔵することができるショーケースなどの収納装置に関するものである。
【背景技術】
【０００２】  スーパーマーケットなどに、商品を陳列または展示するために設置されるショーケースとして、ケースの前面にエアーカーテンが形成され、飲料缶などの商品を冷蔵可能なオープンショーケースと称されるショーケースが知られている。特開昭５５−１６５４６８号公報に開示されたショーケースでは、棚の先端から冷気を下方に吹出し、下段の棚の先端から上段の棚から吹出された冷気を吸い込むことにより棚で区切られた空間毎に個々のエアーカーテンを形成し、ケース内を冷蔵に適した環境に維持している。【０００３】  ショーケースに、多品種の商品を展示または陳列するときに、商品毎に温度などの環境条件を変えた方が良い場合がある。特開昭５５−１６５４６８号公報の従来例に示されているような、ショーケースを１つのエアーカーテンで覆うようなものは、冷風吹出し口に近い上段の棚は良く冷え、下段の棚は冷え難いという特徴がある。したがって、冷蔵が好ましい商品は上段に配置し、冷蔵が好ましくない商品は下段に配置することが望ましい。しかしながら、上段は冷えやすく、下段は冷え難いといった程度の温度差であり、積極的な温度制御を行うことはできない。【０００４】  一方、特開昭５５−１６５４６８号公報に記載された技術は、上の棚の先端から冷気を下に吹出し、下の棚の先端から冷気を吸い込むことにより、エアーカーテンの距離を短くし、上述したような上段は冷えやすく下段は冷え難いといった温度差を無くそうとするものである。したがって、ショーケースの内部の温度が一定になってしまい、多種類の商品を異なった温度で保存することはできない。
【発明の開示】
【０００５】  ショーケース内部に異なる温度領域を形成するために、冷風を供給するダクトと、温風を供給するダクトとを設け、冷風と温風とをそれぞれ供給する方法を提案できる。しかしながら、この方法は、供給ダクトが倍必要になるだけでなく、回収用のダクトも倍必要になるという問題がある。外気を冷却して冷風を生成したり、外気を加熱して温風を生成するよりは、冷蔵領域から回収した空気を冷却したり、温蔵領域から回収した空気を加熱した方が、熱効率が高いからである。ショーケースの内部に冷風を吹き出す冷蔵領域と温風を吹き出す温蔵領域を設けたときに、回収用のダクトを冷蔵領域および温蔵領域に共用にすると、ダクト内で冷風と温風が混合されて外気を冷却あるいは加熱するのと条件が変わらなくなってしまう。したがって、ショーケースの内部に冷蔵領域および温蔵領域を形成する場合は、回収用のダクトが不要であると言うこともできる。
【０００６】  しかしながら、冷蔵のみあるいは温蔵のみで使用される場合は、冷風あるいは温風を回収することにより熱効率が向上し、ランニングコストが大幅に低下するので、回収用のダクトを省くことはできない。このため、温風および冷風をそれぞれ別に回収するダクトシステムが必要になる。したがって、ショーケース内に冷蔵用と温蔵用の領域を作るために冷風および温風をそれぞれ供給しようとすると、一気にダクトの量が倍になり、ショーケースは大型になり、製造コストも高くなる。
【０００７】  そこで、本発明においては、冷風および温風を独立して供給し、回収できる簡易なダクトシステムを提供することを目的としている。また、そのダクトシステムを搭載し、コンパクトで、熱交換効率が高く、さらに、収納領域に温蔵域および冷蔵域を並存できる収納装置を提供することも本発明の目的である。
【０００８】  本発明においては、上方に配置された温風発生源から温風を下方に向かって導くダクトと、下方に配置された冷風発生源から冷風を上方に向って導くダクトに加え、温風発生源と冷風発生源とを結ぶ共通の回収用のダクトを設け、回収用のダクト内では空気の比重の差により温度の高い空気は上方の温風発生源に回収され、温度の低い空気は下方の冷風発生源に回収されるようにしている。すなわち、本発明のダクトシステムは、上方に配置された温風発生源から温風を下方に向かって導き、途中に複数の温風供給口を備えた第１のダクトと、下方に配置された冷風発生源から冷風を上方に向って導き、途中に複数の冷風供給口を備えた第２のダクトと、温風発生源と冷風発生源とを結び、途中に複数の回収口を備えた第３のダクトとを有する。
【０００９】  本発明のダクトシステムでは、温風および冷風に対して第３のダクトが共通の排気または回収ダクトとなっており、温風発生源が第３のダクトの上方にあり、冷風発生源が第３のダクトの下方にある。したがって、第３のダクト内で回収された高温の空気と低温の空気は混合されず、温風発生源および冷風発生源にそれぞれ回収される。すなわち、第３のダクトに回収された高温の空気と低温の空気については、比重差により、高温の空気がアップドラフトにより上方の温風発生源に回収され、低温の空気がダウンドラフトにより下方の冷風発生源に回収される。さらに、収納スペースに温蔵領域と冷蔵領域を形成する場合は、空気の比重を考慮すると、冷蔵領域に対して温蔵領域は上方に位置し、高温の空気は低温の空気よりも上方で第３のダクトに回収される。したがって、排気用の第３のダクトを共通に設けても、高温の空気と低温の空気は分離して回収でき、外気を加熱あるいは冷却する場合、または高温と低温の空気が混合された空気を加熱あるいは冷却する場合より、温風発生源および冷風発生源の熱交換効率を向上できる。このため、簡易な構成で、効率の高いダクトシステムを提供できる。
【００１０】  本発明のダクトシステムにおいては、第３のダクトに回収された空気の温度により回収される方向が自動的に決まる。したがって、本発明のダクトシステムは、温風のみ、あるいは冷風のみを供給することにより温蔵用の区画と冷蔵用の区画とが形成される収納装置に限らず、温風および冷風を混合して適当な温度の区画を形成する収納装置においても有用である。しかしながら、室温よりも低温の空気を温風発生源に回収しても熱効率は低下し、室温よりも高温の空気を冷風発生源に回収しても熱効率は低下する。このため、本明細書における温風とは、室温より高温の流れを示し、冷風とは、室温より低温の流れを示している。
【００１１】  本発明のダクトシステムは第１のダクト、第２のダクトおよび第３のダクトを備え、さらに、温風発生源が配置され、冷風発生源が配置され、第１のダクトおよび第２のダクトの少なくともいずれかにより、温風および冷風の少なくともいずれかが供給され、内部の空気が第３のダクトにより回収される収納空間を構成するためのハウジングとを有する収納装置を提供できる。この収納装置においては、複数の温度領域を収納区間に設定できると共に、ダクトスペースが小さくなり、全体がコンパクトな収納装置を提供できる。さらに、収納空間から回収された空気のうち、低温のものは冷風発生源の側に供給され、高温のものは温風発生源の側に供給される。したがって、冷風発生源および温風発生源における熱効率も高いので、冷却用の熱交換器、加熱用のヒータも小さくすることができ、この点でもさらにコンパクトな収納装置を提供できる。また、商品を陳列する陳列棚を温風供給口および／または冷風供給口に接続するタイプの収納装置においても、本発明のダクトシステムを採用することにより、コンパクトで熱効率の良い収納装置を提供できる。
【００１２】  本発明のダクトシステムおよび収納装置においては、温風発生源の供給側と冷風発生源の供給側とを繋ぐ共通供給ダクトを用意し、この共通供給ダクトをダンパあるいは仕切り板などの仕切り手段により分割することにより第１および第２のダクトを形成することは好ましい１つの形態である。１つの共通供給ダクトを分割して第１および第２のダクトとすることにより、さらにダクトの数を削減でき、ダクトシステムおよび収納装置の構成を簡易にでき、コンパクトにできる。共通供給ダクトを採用した場合、温風発生源および冷風発生源に、逆方向の空気の流れを阻害する逆流防止機構を設けておくことが望ましい。これにより、共通供給ダクトの仕切り手段を外して、温風発生源または冷風発生源の一方を稼動させるだけで、収納スペースに温風あるいは冷風のみを供給し、全体を温蔵あるいは冷蔵にすることができる。
【００１３】  温風あるいは冷風のみを供給する場合は、それぞれの発生源を通過する空気の流れが逆になるので、逆流防止機構を設けることにより温風発生源あるいは冷風発生源が共通供給ダクトと第３のダクトとを短絡する流路になることを防止できる。逆流防止機構は、発生源の出口、入口または中間に設置することが可能であり、また、ダンパを手動あるいは電動で機械的に旋回させる機構、差圧を利用してダンパが閉じる機構を採用できる。
【００１４】  商品を陳列するための陳列棚を介して温風または冷風、さらには温風および冷風を適当な比率で混合した空気を供給することは、陳列棚の上あるいは下に並べられた商品の温度を適切に保つ収納装置を提供する上で有効である。すなわち、本発明においては、上記のダクトシステムのダクトに加え、温風供給口および冷風供給口の少なくともいずれかに接続され、当該陳列棚を介して温風および冷風の少なくともいずれかを吹出す吹出口を備えた陳列棚を有する収納装置を提供する。陳列棚に、さらに、吸気口を設け、陳列棚を回収口にも接続して、当該陳列棚を介して空気を排気することも可能である。
【図面の簡単な説明】
【００１５】［図１］本発明に係る収納装置の概略を示す縦断面図である。
［図２］図１に示す収納装置のケースの内部の概略を、ハウジングを透かして見た斜視図である。
［図３］収納装置のダクトシステムを平面的に示す図である。
［図４］陳列棚の外観を示す斜視図である。
［図５］陳列棚の構造を示す断面図であり、図５（ａ）は温風流入口を含む部分の断面図、図５（ｂ）は冷風供給口を含む部分の断面図、図５（ｃ）は回収口を含む部分の断面図である。
［図６］温風を上面から吹出し、冷風を裏面から吹出す陳列棚の外観を示す斜視図である。
［図７］異なる収納装置のケースの内部の概略を、陳列棚を取り外した状態で示す斜視図である。
［図８］図７に示す収納装置のダクトシステムを平面的に示す図である。
［図９］ダクトの差圧により流路を開閉するダンパを示す図である。
［図１０］供給ダクトの内部に複数のダンパが設けられている様子を示す図である。
［図１１］運転モードに応じた各種のダンパの開閉状態を示す図である。
【発明を実施するための最良の形態】
【００１６】  以下に図面を参照して本発明をさらに詳しく説明する。図１に本発明の収納装置の概略構成を断面図により示してある。図２に、収納装置１の内部の概略構成を、ハウジング２を透かして見た斜視図により示してある。図２に示したハウジング２は、収納空間を構成するためのものであり、さらに、陳列用の棚を取り外した状態で示してある。収納装置１は、断熱性のハウジング２を有し、このハウジング２が陳列ケースとなる。ハウジング２の内部は、陳列棚１０が設置される収納空間３となっている。収納空間３には複数の陳列棚１０が上下に適当な間隔をあけて設置でき、それらの陳列棚１０により収納空間３は上下に区分けされる。これらの陳列棚１０により区分けされた複数のゾーン４のそれぞれは、陳列棚１０に陳列された商品の回りに、商品の品質などを維持するために必要な空気を供給し、または排気するための単位として考えることができる。【００１７】  図１に示した状態では、収納空間３は、上下に配置された４段の陳列棚１０により区画化され、上下に５つのゾーン４が形成されている。最も上のゾーン４は、陳列用ケース２の天井２ｕと棚１０に挟まれた空間であり、上から２〜４番目のゾーン４は、棚１０により上下が挟まれた空間であり、最も下のゾーン４は、棚１０と陳列用ケース２の底２ｄに挟まれた空間である。この収納装置１では、陳列棚１０を介して、冷蔵あるいは温蔵のための環境調整用の空気が供給され、ゾーン４の内部を循環して陳列棚１０を介して吸気され、排気される。したがって、陳列棚毎に、独立したエアーサイクルを形成することが可能である。このため、陳列棚１０に陳列された商品に対し、陳列棚毎に、温度、湿度などを含む環境条件を設定でき、それを維持できる。この収納装置１は、陳列用ケース２の前面２ａが開放されたオープンショーケース型でありながら、内部の収納空間３を複数に分けて、異なる条件に設定できる。【００１８】  ハウジング２の背面となる後壁２ｂの内部はダクトスペース５となっており、このダクトスペース５に本発明に係るダクトシステムＤＳ１が収納されている。ダクトシステムＤＳ１は、上下方向Ｈに平行に配置された温風供給ダクト（第１のダクト）１１、冷風供給ダクト（第２のダクト）１２、および排気ダクト（第３のダクト）１３とを有している。図１では、各々のダクトを明瞭に示すために供給ダクト１１、１２および排気ダクト１３を前後方向に並べて描いてあるが、これらのダクトは、図２に示したように、幅方向または左右Ｗに並べて配置することが望ましい。幅方向に並べることにより、ダクトスペース５の前後方向の厚みを少なくできる。【００１９】  収納装置１のハウジング２の天井２ｕと底２ｄに機械室１４および１５が形成されている。天井２ｕの機械室１４は、高温の調整用空気Ａ１を生成する温風発生源であり、加熱用のヒータ１７と、送風ファン１６が設置されている。この温風発生源１４は、排気ダクト１３を介して収納空間３から吸気した空気を加熱し、温風Ａ１を、上方から温風供給ダクト１１を介して収納空間３に供給する。底２ｄの機械室１５は、低温の調整用の空気Ａ２を生成する冷風発生源であり、冷却用の熱交換器１９と、送風ファン１８とが設置されて���る。この冷風発生源１５は、排気ダクト１３を介して収納空間３から吸気した空気を冷却し、冷風Ａ２を、下方から冷風供給ダクト１２を介して収納空間３に供給する。さらに、冷風用の機械室１５には、加湿器３９が設置されており、湿度も調整できるようになっている。温風発生源１４の機器および冷風発生源１５の機器は、制御装置２０により制御され、それぞれの発生源１４および１５から所定の温度に制御された環境調整用の温風Ａ１および冷風Ａ２がそれぞれの供給ダクト１１および１２に供給されるようになっている。【００２０】  図３にダクトシステムＤＳ１を抜き出して示してある。温風供給ダクト１１には各々の陳列棚１０の接続口となり、陳列棚１０を介して温風Ａ１を供給するための温風供給口２１が上下方向に適当なピッチで複数形成されている。冷風供給ダクト１２にも、各々の陳列棚１０の接続口となり、陳列棚１０を介して冷風Ａ２を供給するための冷風供給口（接続口）２２が上下方向に適当なピッチで複数形成されている。さらに、排気ダクト１３にも、陳列棚１０の接続口となり、陳列棚１０を介して空気を排気するための回収口２３が上下方向に適当なピッチで複数形成されている。これらの供給口２１、２２および回収口２３は、ハウジング２の裏面２ｂの水平方向、すなわち、ハウジング２の前面２ａからアクセスするときの左右の方向Ｗに直線的に並ぶよう設計されている。このため、ケースの裏面２ｂには、左右に供給口２１、２２および回収口２３が並んだ接続領域２８が上下に一定の間隔で配置されている。【００２１】  収納装置１では、いずれかの接続領域２８に棚１０を取り付けることにより、棚１０を介して、温風Ａ１あるいは冷風Ａ２を単独で、または所望の条件でミックスした状態で供給でき、また、ゾーン４から排気できる。各々の接続口２１、２２および回収口２３にはダンパ５１、５２および５３が設置され、棚１０が取り付けられていないときは閉じられるようになっている。図３においては、一つの接続領域２８に含まれる供給口２１、２２および回収口２３のそれぞれにダンパ５１、５２および５３が設置されている様子を破線により示してある。なお、他の接続領域２８の供給口２１、２２および回収口２３についても、それぞれダンパは設置されるが、図示は省略している。【００２２】  図２に示すように、各々の陳列棚１０は、ケース２の裏面２ｂに設けられた取り付け用の孔２９と、棚１０の背面から突き出たフック１０ａを組み合わせることにより任意の接続領域２８に着脱できる。【００２３】  図４に陳列棚１０の外観と、ダクト１１〜１３を流れる空気の方向を斜視図により示してある。各々の陳列棚１０は、ハウジング２の裏面２ｂに取り付けられる背面１０ｄに、供給ダクト１１、１２および回収ダクト１３に形成された接続口２１、２２および２３に繋がる流入口３１、３２および排気口３３が左右Ｗに並んで形成されている。陳列棚１０の内部には、流入口３１および３２に繋がった棚付きの供給ダクト４１が形成され、その棚付き供給ダクト４１は棚１０の表面１０ｂに分散して設けられた複数の吹出口４２に繋がっている。したがって、流入口３１から供給された温風Ａ１と、流入口３２から供給された冷風Ａ２は��棚１０を介して商品に対して吹出される。複数の吹出口４２は商品が戴置される棚表面１０ｂに形成されているので、商品を棚１０に陳列すると、商品は吹出口４２の上に配置され、棚１０から吹き出された温風Ａ１や冷風Ａ２の流れが商品に効率良く接する。吹出口４２は孔であっても良いし、スリットであっても良い。【００２４】  さらに、陳列棚１０は、基端側１０ｄに、ゾーン４から空気を吸気して排気する吸気口４５を備えた棚付きの排気ダクト４３が配置されている。このため、陳列棚１０においては、供給ダクト４１と排気ダクト４３とを備えた内部ダクトを有している。吸気口４５は排気口３３に繋がっている。したがって、吸気口４５から吸気された空気は、棚１０の排気ダクト４３を経由して回収ダクト１３に回収される。【００２５】  図５に、陳列棚１０の内部の構成を断面図により示してある。図５（ａ）は、ケース２の前方２ａから見て（本明細書では特に断らない限り前方２ａから見た方向を示す）棚１０の左側の断面図であり、基端１０ｄの左側に位置する温風流入口３１が見えている。図５（ｂ）は、棚１０の右側の断面図であり、基端１０ｄの右側に位置する冷風流入口３２が見えている。図５（ｃ）は、棚１０のほぼ中央の断面図であり、基端１０ｄのほぼ中央に位置する回収口３３が見えている。【００２６】  この陳列棚１０は、ほぼ凹状の棚本体５５と、棚本体５５の開口５５ａを塞ぐように取り付けられた棚板５６とを有している。棚本体５５と棚板５６で囲われた空間が、内部供給ダクト４１として利用される空間となる。この空間には、結露防止用の断熱材５７が空間を上下に二分するように配置されている。断熱材５７により分けられた上側の空間、すなわち、断熱材５７と棚板５６とにより挟まれた空間が棚付きの供給ダクト４１となっている。また、棚板５６には複数の吹出口４２が形成されており、棚付き供給ダクト４１で生成された空気Ａが棚板５６の複数の吹出口４２から商品に対して供給される。したがって、陳列棚１０においては、所望の条件に設定された空気が吹き出された直後に、棚１０に配置された商品と接触するように吹き出され、陳列棚１０に配置された商品は空気が効率良く接して環境条件が維持される。棚板５６の上には樹脂製のスノコまたはスノコ状の板５９が配置されている。スノコ状の板５９として低摩擦係数のフッ素系樹脂などの板を用いることにより、飲料缶などがある程度滑りやすい状態の陳列棚１０とすることができる。また、このスノコ５９は、飲料缶などの商品と吹出口４２との間に、空気の供給が商品により遮断されない程度の距離を確保する機能も担っている。棚本体５５の前方には商品の倒れ防止用の転倒防止プレート５８が設けられている。【００２７】  図５に示した例は、棚１０に温風Ａ１を引き込んで吹出す例である。図５（ａ）に示すように、温風Ａ１の供給口２１が開いている。棚１０の左側のダンパ開度制御レバー６１を操作して作動ピン６１ａが接続口２１に対して後方に突き出るようにセットされており、ダンパ５１を押して温風供給用の接続口２１を開いている。ダンパ５１は、下方の端５１ａが旋回可能に支持されていると共に、その一端５１ａに取り付けられたばね５１ｂにより接続口２１を閉じる方向に押し付けられている。このため、通常は、ダンパ５１は閉じているが、ノブ６１を操作して作動ピン６１ａが棚１０から後方に突き出た状態になるとダンパ５１が旋回して接続口２１が開く。ダンパ５１は上方が開くので、ダクト１１を上方から下方に向けて供給される温風Ａ１を棚１０に供給しやすい。【００２８】  一方、図５（ｂ）に示すように、冷風Ａ２の供給口２２は閉じている。棚１０の右側のダンパ開度制御ノブ６２により作動ピン６２ａは、接続口２２に対して突き出ておらず、ダンパ５２は開かず、供給口２２は閉じたままであり、冷風Ａ２は棚１０に供給されない。したがって、棚１０からは温風Ａ１のみが出力される。なお、ダンパ５２は上側の端５２ａが旋回可能に支持されていると共に、ばね５２ｂにより接続口２２に押し付けられている。したがって、作動ピン６２ａが後方に突き出ていれば下側が開き、ダクト１２を下方から上方に向けて供給される冷風Ａ２を棚１０に供給しやすい構造となっている。【００２９】  これらのダンパ制御用のノブ６１および６２は、一方のダンパを開いたときに、他方のダンパを閉じるようになっており、棚１０により区画化されるゾーンに温風Ａ１のみを供給して温蔵用にしたり、冷風Ａ２のみを供給して冷蔵用にしたり、温風Ａ１と冷風Ａ２を棚１０の内部で混合して吹き出して中間の温度で商品を貯蔵したりすることができる。【００３０】  回収ダクト１３の回収口２３に設けられたダンパ５３は、前後方向にスライドし、ばね５３ｂにより回収口２３を閉じる方向に押し付けられている。したがって、陳列棚１０を取り付けると、棚１０から後方に突き出た作動ピン３７によりダンパ５３が押され、棚１０の棚付き排気ダクト４３がハウジング２の回収ダクト１３に接続される。【００３１】  したがって、図４に示すように、本例の収納装置１においては、棚１０を取り付けることにより、温風供給ダクト１１により上方から供給される温風Ａ１、冷風供給ダクト１２により下方から供給される冷風Ａ２、またはそれらが混合された空気を棚１０を介して商品に供給し、さらに、棚１０を経由して空気を回収ダクト１３に回収するシステムが構築される。このため、棚１０を取り付けるだけで、所望の温度の空気を吹き出して商品を所望の環境条件に維持することができる。さらに、回収ダクト１３に回収された空気は、温風Ａ１が供給されたゾーン４から棚１０を介して回収された高温の空気Ａ３であれば、上方の温風発生源１４に回収され、冷風Ａ２が供給されたゾーン４から棚１０を介して回収された低温の空気Ａ４であれば、下方の冷風発生源１５に回収される。温風Ａ１と冷風Ａ２が混合されて供給されたゾーンにおいては、基本的には、そのゾーンの温度が室温より高ければ上方に、室温より低ければ下方に回収されるが、室温に近いゾーンから回収される空気は、回収ダクト１３を流れる流量や圧力損失などによりいずれの方向にも回収されうる。【００３２】  すなわち、回収ダクト１３においては、冷蔵用のゾーン４から回収された空気Ａ４は温度が低いので、比重が重く下降しやすく、ダウンドラフトとなって下部に配置された冷風発生源１５に導かれる。一方、温蔵用のゾーン４から回収された空気Ａ３は温度が高い��で、比重が軽く上昇しやすく、アップドラフトとなって上部に配置された温風発生源１４に導かれる。さらに、図１に示したように、庫内３に温蔵域と冷蔵域とを設ける場合、庫内のドラフトで温度が交じり合わないように、庫内３の上方に温蔵域、下方に冷蔵域を形成する。したがって、回収ダクト１３に回収された空気は、高温の排気Ａ３と低温の排気Ａ４が混ざり合うことはなく、上下に分離され、温調空気発生源１４および１５に回収される。このため、共通の回収ダクト１３で異なる複数の温度領域から混ざり合わないように排気Ａ３およびＡ４を回収することができ、温風発生源１４および冷風発生源１５において所望の条件の温風Ａ１および／または冷風Ａ２として再生して供給できる。【００３３】  したがって、３本のダクトにより、温風Ａ１および冷風Ａ２をそれぞれ供給し、さらに、高温と低温の排気を混ざり合わないで回収するダクトシステムＤＳ１を提供できる。このため、ダクトシステムＤＳ１を収納するダクトスペース５を小さくでき、収納装置１をコンパクトに纏めることができる。さらに、排気を高温と低温に分けて、温風発生源１４と冷風発生源１５に回収できるので、それぞれの発生源における熱交換効率も高くなり、加熱用の機器および冷却用の機器を小型化でき、収納装置１をさらに小型、軽量化でき、製造コストを減らし、さらに、ランニングコストも削減できる。【００３４】  上記では、棚１０から調整空気を吹出し、棚１０を介して回収ダクト１３に排気するようにしているが、それぞれの供給ダクト１１および１２から商品に対して温風Ａ１および冷風Ａ２を吹き出したり、回収ダクト１３により吹き出された空気を回収しても良い。しかしながら、棚１０を介して吹出し、また、回収することにより、風量制御、調整用空気の分配、回収といった機能を棚１０に搭載できるので、ダクトシステムＤＳ１の構成を簡略化でき、シンプルな構成の収納装置１を提供できる。そして、棚１０を取り付ければ、適当な温度条件の空気を棚単位で商品に対して効率良く吹き付けることができるので、収納空間３の利用方法は非常にフレキシブルとなり、多種多様な商品を様々なレイアウトで収納し、展示できる。【００３５】  また、商品が配置される棚表面１０に吹出口４２を設けて空気を上方に吹き出すと、商品が配置される部分に空気の流れを確実に形成することができ、商品を所望の温度に維持するのに有効である。しかしながら、棚１０の構成も上記の例に限定されるものではない。図６に示すように、表面１０ｂから温風Ａ１を吹き出し、裏面１０ｃから冷風Ａ２を吹き出す棚７０を取り付けることも可能である。この棚７０を利用すると、棚７０の上から吹き出された空気の高温の排気Ａ３は回収ダクト１３により上方に回収され、下から吹き出された空気の低温の排気Ａ４は同じ回収ダクト１３により下方に回収される。【００３６】  さらに、上記のダクトシステムＤＳ１は、独立した温風供給ダクト１１および冷風供給ダクト１２を用いたシステムであるが、温風Ａ１と冷風Ａ２を共通の供給ダクトに供給することも可能である。図７に、温風Ａ１と冷風Ａ２を供給する共通供給ダクト２５を用いた収納装置８０を示してある。この図７は図２に対応した図であり、陳列棚１０を取り外し、ハウジング２を透かしてダクトシステムＤＳ２の概要を示している。また、図８に、共通供給ダクト２５を備えたダクトシステムＤＳ２を抜き出して示してある。【００３７】  収納装置８０に採用されたダクトシステムＤＳ２は、上方の温風発生源１４と下方の冷風発生源１５とに繋がった共通供給ダクト２５および共通の回収ダクト１３とを有している。これらのダクト２５および１３のそれぞれには、上下に並んだ複数の供給口２６と回収口２３とが設けられている。複数の供給口２６および回収口２３には、開閉するダンパ５４および５３が設置されており、上述したダクトシステムＤＳ１と同様に棚１０を取り付けると供給口２６および回収口２３が開くようになっている。【００３８】  この共通供給ダクト２５は、供給口２６から仕切り板７３を挿入することにより上下に分割でき、共通供給ダクト２５の上方を温風Ａ１を供給するダクト１１として利用でき、下方を冷風Ａ２を供給するダクト１２として利用できる。一方、回収ダクト１３においては、上述したように仕切り板７３で分割しなくてもドラフトの差により高温の空気Ａ３は上方に回収でき、低温の空気Ａ４は下方に回収できる。このダクトシステムＤＳ２では、棚板１０に対して温風Ａ１と冷風Ａ２を同時に供給することができず、収納スペース３を温蔵領域と冷蔵領域に分割できるだけになるが、供給ダクトを温風Ａ１と冷風Ａ２とで共用できるのでダクトシステムの構成としてはさらにシンプルになり、さらにコンパクトな収納装置８０を提供できる。【００３９】  さらに、このダクトシステムＤＳ２は、温風発生源１４のファン１６の吸引側にファン１６の吸い込み方向にだけ空気を通す第１の逆流防止機構８１が設置され、冷風発生源１５のファン１８の吐出側にファン１８の吐出方向にだけ空気を通す第２の逆流防止機構８２が設置されている。したがって、仕切り板７３を外して、温風発生源１４のみを駆動すると、共通供給ダクト２５は温風Ａ１のみが第２の逆流防止機構８２により流れが阻止されるまで上方から下方に向かって供給され、収納スペース３の全体に温風Ａ１を供給できる。また、回収ダクト１３においては、第１の逆流防止機構８１に阻止されずに収納スペース３の全体から空気を回収できる。したがって、冷風発生源１５により供給ダクト２５と回収ダクト１３を短絡させることなく温風Ａ１のみを供給でき、収納装置８０を温蔵専用にすることができる。【００４０】  一方、冷風発生源１５のみを駆動すると、共通供給ダクト２５は冷風Ａ２のみが第１の逆流防止機構８１により流れが阻止されるまで下方から上方に向かって供給され、収納スペース３の全体に冷風Ａ２を供給できる。また、回収ダクト１３においては、第２の逆流防止機構８２に阻止されずに収納スペース３の全体から空気を回収できる。したがって、温風発生源１４により供給ダクト２５と回収ダクト１３を短絡させることなく冷風Ａ２のみを供給でき、収納装置８０を冷蔵専用にすることができる。【００４１】  これらの逆流防止機構８１および８２は、図８に示した位置に限らず、温風発生源１４および冷風発生源１５において、供給ダクト２５と排気ダクト１３との繋がりを遮断できる位置に取り付けること��できる。逆流防止機構８１および８２の一例は、図９に示すようなものであり、ダクト内の空気の流れる方向によりダンパが開閉することにより流れる方向を制限する。この逆流防止機構８１および８２は、ゴムなどの軽く柔軟な材料で形成された可撓性のある弁体８５ａを備えており、供給ダクト２５または排気ダクト１３の内部を順方向に空気が流れる場合は、図中に破線で示すように、その流れにより弁体８５ａが開いて空気の流れを阻害しない。一方、空気が逆方向に流れる場合は、その流れにより弁体８５ａが閉じて流路が遮断される。【００４２】  また、図１０に示すように、予め共通供給ダクト２５の内部に、手動あるいはアクチュエータ駆動によりダクト２５を閉鎖できる複数のダンパを設けておいても良い。図１１に示すように、収納スペース３に温蔵領域と冷蔵領域を形成する場合は、温風発生源１４の直下のダンパ８６と、冷風発生源１５の直上のダンパ８７をオープンし、温蔵領域と冷蔵領域の境界となるダンパ８５をクローズすればよい。収納スペース３を温蔵領域としてのみ利用する場合は、冷風発生源１５の直上のダンパ８７をクローズし、温風発生源１４の直下のダンパ８６と、温蔵領域と冷蔵領域の境界となるダンパ８５をオープンすれば良い。さらに、収納スペース３を冷蔵領域としてのみ利用する場合は、温風発生源１４の直下のダンパ８６をクローズし、冷風発生源１５の直上のダンパ８７と、温蔵領域と冷蔵領域の境界となるダンパ８５をオープンすれば良い。【００４３】  なお、上記では、商品を内部に陳列するショーケースのような収納装置を例に本発明に係るダクトシステムＤＳ１およびＤＳ２を説明しているが、温風発生源を上方に、冷風発生源を下方に分離して設置できるような装置、建物あるいはシステムであれば、どのような対象物に対しても本発明のダクトシステムを適用できる。特に、コンビニエンスストアやスーパーマーケットなどに設置されるショーケースは、店舗内の設置スペースに制約があるので、コンパクトで、かつ温蔵域および冷蔵域を並存できるものが要望されており、本発明のダクトシステムの適用対象としては好適なものである。また、ショーケースとしては、棚の先端から空気を吹き出して個々のゾーン毎にエアーカーテンを形成したり、棚の先端から背面に向けて空気を吹き出すものでも良く、多種多様なショーケースに本発明のダクトシステムを適用できる。【００４４】  さらに、回収用ダクト１３の途中に、少なくとも１つ以上の仕切り用ダンパを設置し、ダンパの開閉によって物理的に回収用ダクトを仕切ることで、冷蔵用、温蔵用の回収空気回路を確実に分離できるようにしても良い。仕切り用のダンパは、手動で切り替えても良く、温度を検出して自動で切り替えるようにしても良い。例えば、収納領域３が温蔵と冷蔵の２つに分かれるのであれば、仕切り用ダンパの上下に回収された空気の温度差を検知し、温度差が一定以上ある場合、その仕切り用ダンパが冷蔵と温蔵との境界に当たると推定し、仕切り用ダンパを閉じ、回収された空気の温度差が一定値以下の場合には、冷蔵と温蔵との境界は当該ダンパ位置にないと推定し、仕切り用ダンパを開くという制御が可能である。同様の制御を、回収ダクト１３の内部に設置��た全ての仕切り用ダンパにおいて行うことで、商品に対して吹きだす空気（冷風または温風）を選択するだけで自動的に回収側の仕切り用ダンパを開閉制御可能となる。
【図１】
2005001349.tif 000003
【図２】
2005001349.tif 000004
【図３】
2005001349.tif 000005
【図４】
2005001349.tif 000006
【図５】
2005001349.tif 000007
【図６】
2005001349.tif 000008
【図７】
2005001349.tif 000009
【図８】
2005001349.tif 000010
【図９】
2005001349.tif 000011
【図１０】
2005001349.tif 000012
【図１１】
2005001349.tif 000013
【国際調査報告】
2005001349.tif 000014
2005001349.tif 000015